(57)【特許請求の範囲】
【請求項１】
フォーカシング及びズーミングに際して移動する２枚以下のレンズよりなる負の屈折力のレンズ群Ｌｎと、前記レンズ群Ｌｎの物体側に隣接して配置された正の屈折力のレンズ群Ｌｐ１と、前記レンズ群Ｌｎの像側に隣接して配置された正の屈折力のレンズ群Ｌｐ２とを有し、ズーミングに際して前記レンズ群Ｌｐ１と前記レンズ群Ｌｐ２が一体的に移動するズームレンズであって、
広角端における全系の最も物体側のレンズ面から像面までの距離をＴｌｗ、広角端における前記レンズ群Ｌｎの最も像側のレンズ面から像面までの距離をＤｎｗ、広角端におけるバックフォーカスをｂｆｗ、望遠端における前記レンズ群Ｌｎのフォーカシングの際の最大移動量（無限遠から至近距離へのフォーカシングに際して物体側から像側へ移動するときを正とする）をＭｆｎｔ、広角端から望遠端へのズーミングの際の前記レンズ群Ｌｎとレンズ群Ｌｐ１との間隔の変化量（間隔が広がる方向を正とする）をＭｎｚとするとき、
０．２＜（Ｄｎｗ−ｂｆｗ）／（Ｔｌｗ−ｂｆｗ）＜０．８
０．３＜−Ｍｎｚ／Ｍｆｎｔ＜１．０
なる条件式を満足することを特徴とするズームレンズ。
【請求項２】
前記レンズ群Ｌｎ、前記レンズ群Ｌｐ１、前記レンズ群Ｌｐ２の焦点距離を各々ｆｎ、ｆｐ１、ｆｐ２とするとき、
０．４＜−ｆｐ１／ｆｎ＜２．５
０．４＜−ｆｐ２／ｆｎ＜２．５
なる条件式を満足することを特徴とする請求項１に記載のズームレンズ。
【請求項３】
前記レンズ群Ｌｎの物体側と像側の光線有効径を各々ｅａ＿ｎｆ、ｅａ＿ｎｒ、前記レンズ群Ｌｐ１の像側と前記レンズ群Ｌｐ２の物体側の光線有効径を各々ｅａ＿ｐ１ｒ、ｅａ＿ｐ２ｆとするとき、
０．７＜ｅａ＿ｐ１ｒ／ｅａ＿ｎｆ＜１．４
０．７＜ｅａ＿ｐ２ｆ／ｅａ＿ｎｒ＜１．４
なる条件式を満足することを特徴とする請求項１または２に記載のズームレンズ。
【請求項４】
広角端における前記レンズ群Ｌｐ１、前記レンズ群Ｌｎ、前記レンズ群Ｌｐ２の合成レンズ群の後側主点位置をｏｋｗ、前記レンズ群Ｌｐ２の後側主点位置をｏｋｐ２、前記レンズ群Ｌｐ２の焦点距離をｆｐ２とするとき、
｜（ｏｋｗ−ｏｋｐ２）／ｆｐ２｜＜０．３
なる条件式を満足することを特徴とする請求項１乃至３のいずれか１項に記載のズームレンズ。
【請求項５】
広角端における前記レンズ群Ｌｎの横倍率をβｎｗとするとき、
｜βｎｗ｜＜１．０
なる条件式を満足することを特徴とする請求項１乃至４のいずれか１項に記載のズームレンズ。
【請求項６】
望遠端における前記レンズ群Ｌｎの横倍率をβｎｔとするとき、
｜βｎｔ｜＜１．０
なる条件式を満足することを特徴とする請求項１乃至５のいずれか１項に記載のズームレンズ。
【請求項７】
フォーカシング及びズーミングに際して移動する２枚以下のレンズよりなる負の屈折力のレンズ群Ｌｎと、前記レンズ群Ｌｎの物体側に隣接して配置された正の屈折力のレンズ群Ｌｐ１と、前記レンズ群Ｌｎの像側に隣接して配置された正の屈折力のレンズ群Ｌｐ２とを有し、ズーミングに際して前記レンズ群Ｌｐ１と前記レンズ群Ｌｐ２が移動するズームレンズであって、
広角端における全系の最も物体側のレンズ面から像面までの距離をＴｌｗ、広角端における前記レンズ群Ｌｎの最も像側のレンズ面から像面までの距離をＤｎｗ、広角端におけるバックフォーカスをｂｆｗ、望遠端における前記レンズ群Ｌｎのフォーカシングの際の最大移動量（無限遠から至近距離へのフォーカシングに際して物体側から像側へ移動するときを正とする）をＭｆｎｔ、広角端から望遠端へのズーミングの際の前記レンズ群Ｌｎとレンズ群Ｌｐ１との間隔の変化量（間隔が広がる方向を正とする）をＭｎｚ、
広角端における前記レンズ群Ｌｐ１、前記レンズ群Ｌｎ、前記レンズ群Ｌｐ２の合成レンズ群の後側主点位置をｏｋｗ、前記レンズ群Ｌｐ２の後側主点位置をｏｋｐ２、前記レンズ群Ｌｐ２の焦点距離をｆｐ２とするとき、
０．２＜（Ｄｎｗ−ｂｆｗ）／（Ｔｌｗ−ｂｆｗ）＜０．８
０．３＜−Ｍｎｚ／Ｍｆｎｔ＜１．０
｜（ｏｋｗ−ｏｋｐ２）／ｆｐ２｜＜０．３
なる条件式を満足することを特徴とするズームレンズ。
【請求項８】
前記レンズ群Ｌｎ、前記レンズ群Ｌｐ１、前記レンズ群Ｌｐ２の焦点距離を各々ｆｎ、ｆｐ１、ｆｐ２とするとき、
０．４＜−ｆｐ１／ｆｎ＜２．５
０．４＜−ｆｐ２／ｆｎ＜２．５
なる条件式を満足することを特徴とする請求項７に記載のズームレンズ。
【請求項９】
前記レンズ群Ｌｎの物体側と像側の光線有効径を各々ｅａ＿ｎｆ、ｅａ＿ｎｒ、前記レンズ群Ｌｐ１の像側と前記レンズ群Ｌｐ２の物体側の光線有効径を各々ｅａ＿ｐ１ｒ、ｅａ＿ｐ２ｆとするとき、
０．７＜ｅａ＿ｐ１ｒ／ｅａ＿ｎｆ＜１．４
０．７＜ｅａ＿ｐ２ｆ／ｅａ＿ｎｒ＜１．４
なる条件式を満足することを特徴とする請求項７または８に記載のズームレンズ。
【請求項１０】
広角端における前記レンズ群Ｌｎの横倍率をβｎｗとするとき、
｜βｎｗ｜＜１．０
なる条件式を満足することを特徴とする請求項７乃至９のいずれか１項に記載のズームレンズ。
【請求項１１】
望遠端における前記レンズ群Ｌｎの横倍率をβｎｔとするとき、
｜βｎｔ｜＜１．０
なる条件式を満足することを特徴とする請求項７乃至１０のいずれか１項に記載のズームレンズ。
【請求項１２】
フォーカシング及びズーミングに際して移動する２枚以下のレンズよりなる正の屈折力のレンズ群Ｌｐと、前記レンズ群Ｌｐの物体側に隣接して配置された負の屈折力のレンズ群Ｌｎ１と、前記レンズ群Ｌｐの像側に隣接して配置された負の屈折力のレンズ群Ｌｎ２とを有し、ズーミングに際して前記レンズ群Ｌｎ１と前記レンズ群Ｌｎ２が一体的に移動するズームレンズであって、
広角端における全系の最も物体側のレンズ面から像面までの距離をＴｌｗ、広角端における前記レンズ群Ｌｎ２の最も像側のレンズ面から像面までの距離をＤｎ２ｗ、広角端におけるバックフォーカスをｂｆｗ、望遠端における前記レンズ群Ｌｐのフォーカシングの際の最大移動量（無限遠から至近距離へのフォーカシングに際して物体側から像側へ移動するときを正とする）をＭｆｐｔ、広角端から望遠端へのズーミングの際の前記レンズ群Ｌｐとレンズ群Ｌｎ２との間隔変化量（間隔が狭まる方向を正とする）をＭｐｚとするとき、
０．２＜（Ｄｎ２ｗ−ｂｆｗ）／（Ｔｌｗ−ｂｆｗ）＜０．８
０．３＜−Ｍｐｚ／Ｍｆｐｔ＜１．０
なる条件式を満足することを特徴とするズームレンズ。
【請求項１３】
前記レンズ群Ｌｐ、前記レンズ群Ｌｎ１、前記レンズ群Ｌｎ２の焦点距離を各々ｆｐ、ｆｎ１、ｆｎ２とするとき、
０．３＜−ｆｎ１／ｆｐ＜２．５
０．３＜−ｆｎ２／ｆｐ＜２．５
なる条件式を満足することを特徴とする請求項１２に記載のズームレンズ。
【請求項１４】
前記レンズ群Ｌｐの物体側と像側の光線有効径を各々ｅａ＿ｐｆ、ｅａ＿ｐｒ、前記レンズ群Ｌｎ１の像側と前記レンズ群Ｌｎ２の物体側の光線有効径を各々ｅａ＿ｎ１ｒ、ｅａ＿ｎ２ｆとするとき、
０．７＜ｅａ＿ｎ１ｒ／ｅａ＿ｐｆ＜１．４
０．７＜ｅａ＿ｎ２ｆ／ｅａ＿ｐｒ＜１．４
なる条件式を満足することを特徴とする請求項１２または１３に記載のズームレンズ。
【請求項１５】
広角端における前記レンズ群Ｌｎ１、前記レンズ群Ｌｐ、前記レンズ群Ｌｎ２の合成レンズ群の前側主点位置をｏ１ｗ、前記レンズ群Ｌｎ１の前側主点位置をｏ１ｎ１、前記レンズ群Ｌｎ１の焦点距離をｆｎ１とするとき、
｜（ｏ１ｗ−ｏ１ｎ１）／ｆｎ１｜＜０．３
なる条件式を満足することを特徴とする請求項１２乃至１４のいずれか１項に記載のズームレンズ。
【請求項１６】
広角端における前記レンズ群Ｌｎ２の横倍率をβｎ２ｗとするとき、
｜βｎ２ｗ｜＜１．０
なる条件式を満足することを特徴とする請求項１２乃至１５のいずれか１項に記載のズームレンズ。
【請求項１７】
望遠端における前記レンズ群Ｌｎ２の横倍率をβｎ２ｔとするとき、
｜βｎ２ｔ｜＜１．０
なる条件式を満足することを特徴とする請求項１２乃至１６のいずれか１項に記載のズームレンズ。
【請求項１８】
フォーカシング及びズーミングに際して移動する２枚以下のレンズよりなる正の屈折力のレンズ群Ｌｐと、前記レンズ群Ｌｐの物体側に隣接して配置された負の屈折力のレンズ群Ｌｎ１と、前記レンズ群Ｌｐの像側に隣接して配置された負の屈折力のレンズ群Ｌｎ２とを有し、ズーミングに際して前記レンズ群Ｌｎ１と前記レンズ群Ｌｎ２が移動するズームレンズであって、
広角端における全系の最も物体側のレンズ面から像面までの距離をＴｌｗ、広角端における前記レンズ群Ｌｎ２の最も像側のレンズ面から像面までの距離をＤｎ２ｗ、広角端におけるバックフォーカスをｂｆｗ、望遠端における前記レンズ群Ｌｐのフォーカシングの際の最大移動量（無限遠から至近距離へのフォーカシングに際して物体側から像側へ移動するときを正とする）をＭｆｐｔ、広角端から望遠端へのズーミングの際の前記レンズ群Ｌｐとレンズ群Ｌｎ２との間隔変化量（間隔が狭まる方向を正とする）をＭｐｚ、
広角端における前記レンズ群Ｌｎ１、前記レンズ群Ｌｐ、前記レンズ群Ｌｎ２の合成レンズ群の前側主点位置をｏ１ｗ、前記レンズ群Ｌｎ１の前側主点位置をｏ１ｎ１、前記レンズ群Ｌｎ１の焦点距離をｆｎ１とするとき、
０．２＜（Ｄｎ２ｗ−ｂｆｗ）／（Ｔｌｗ−ｂｆｗ）＜０．８
０．３＜−Ｍｐｚ／Ｍｆｐｔ＜１．０
｜（ｏ１ｗ−ｏ１ｎ１）／ｆｎ１｜＜０．３
なる条件式を満足することを特徴とするズームレンズ。
【請求項１９】
前記レンズ群Ｌｐ、前記レンズ群Ｌｎ１、前記レンズ群Ｌｎ２の焦点距離を各々ｆｐ、ｆｎ１、ｆｎ２とするとき、
０．３＜−ｆｎ１／ｆｐ＜２．５
０．３＜−ｆｎ２／ｆｐ＜２．５
なる条件式を満足することを特徴とする請求項１８に記載のズームレンズ。
【請求項２０】
前記レンズ群Ｌｐの物体側と像側の光線有効径を各々ｅａ＿ｐｆ、ｅａ＿ｐｒ、前記レンズ群Ｌｎ１の像側と前記レンズ群Ｌｎ２の物体側の光線有効径を各々ｅａ＿ｎ１ｒ、ｅａ＿ｎ２ｆとするとき、
０．７＜ｅａ＿ｎ１ｒ／ｅａ＿ｐｆ＜１．４
０．７＜ｅａ＿ｎ２ｆ／ｅａ＿ｐｒ＜１．４
なる条件式を満足することを特徴とする請求項１８または１９に記載のズームレンズ。
【請求項２１】
広角端における前記レンズ群Ｌｎ２の横倍率をβｎ２ｗとするとき、
｜βｎ２ｗ｜＜１．０
なる条件式を満足することを特徴とする請求項１８乃至２０のいずれか１項に記載のズームレンズ。
【請求項２２】
望遠端における前記レンズ群Ｌｎ２の横倍率をβｎ２ｔとするとき、
｜βｎ２ｔ｜＜１．０
なる条件式を満足することを特徴とする請求項１８乃至２１のいずれか１項に記載のズームレンズ。
【請求項２３】
請求項１乃至２２のいずれか１項に記載のズームレンズを有することを特徴とする撮像装置。
【発明の詳細な説明】
【技術分野】
【０００１】
本発明は、ズームレンズ及びそれを有する撮像装置に関し、例えば一眼レフカメラ、デジタルスチルカメラ、デジタルビデオカメラ、ＴＶカメラ、監視用カメラ等の撮影光学系に好適なものである。
【背景技術】
【０００２】
一眼レフカメラやビデオカメラ等の撮像装置では、高速かつ高精度にオートフォーカス（自動合焦）できることが要望されている。高速なオートフォーカスが容易なズームレンズとして、物体側の第１レンズ群以外の小型軽量のレンズ群を移動させてフォーカスを行う、所謂リヤーフォーカス式のズームレンズが知られている（特許文献１）。特許文献１では、負、正、負、正、負、正の屈折力の第１〜第６レンズ群よりなる６群ズームレンズにおいて、小型軽量の第５レンズ群でフォーカスを行っている。
【０００３】
一方、近年の一眼レフカメラでは動画撮影機能を有すること、動画撮影中にオートフォーカスできることが要望されている。動画を撮影するときのオートフォーカス方式としては、撮像信号中の高周波成分を検出することによって撮影光学系の合焦状態を評価する、高周波検出方式（ＴＶ−ＡＦ方式）が多く用いられている。
【０００４】
ＴＶ−ＡＦ方式を用いた撮像装置では、フォーカスレンズ群を光軸方向に高速で振動させて（以下、「ウォブリング」という）合焦状態からのズレ方向を検出する。そしてウォブリングの後、撮像センサの出力信号から画像領域の特定の周波数帯の信号成分を検出して、合焦状態となるフォーカスレンズ群の最適位置を算出する。
【０００５】
その後、最適位置にフォーカスレンズ群を移動させて合焦完了となる。フォーカスレンズ群をウォブリング駆動させるには、フォーカスレンズ群を小型軽量化する必要がある。ズームレンズを構成するレンズ群のうち、一部の小型軽量なレンズ群を用いてフォーカシングを行ったズームレンズが知られている（特許文献２、３）。
【０００６】
特許文献２では、正、負、負、正、正の屈折力の第１乃至５群レンズ群よりなるズームレンズにおいて、第３レンズ群でフォーカスを行うズームレンズを開示している。特許文献３では、正、負、正、正、正の屈折力の第１乃至第５レンズ群よりなる５群ズームレンズにおいて、第３レンズ群でフォーカスを行うズームレンズを開示している。
【先行技術文献】
【特許文献】
【０００７】
【特許文献１】特開２００９−１９９０９２号公報
【特許文献２】特開２００９−２５１１１７号公報
【特許文献３】特開２００９−２５１１１４号公報
【発明の概要】
【発明が解決しようとする課題】
【０００８】
オートフォーカス速度を向上するためには、レンズ枚数の少ない小型軽量のレンズ群をフォーカスレンズ群とするのが良い。また、フォーカスに際しての移動量を少なくするために、屈折力の強いレンズ群をフォーカスレンズ群とするのが良い。通常、フォーカスレンズ群を少ないレンズ枚数で構成する場合、フォーカスレンズ群のパワー（屈折力）を強めると、フォーカスレンズ群の残存収差が大きくなり、フォーカシングに伴う収差変動が大きくなってくる。このため、フォーカスレンズ群のパワーをあまり強めることができない。
【０００９】
一方、フォーカスレンズ群のパワーを弱めると、フォーカスに際してのフォーカスレンズ群の移動量が大きくなってくる。この結果、フォーカスレンズ群が移動するスペースが大きくなり、ズーミング用のレンズ群が移動するスペースを十分に確保することができなくなる。この結果、高い高学性能を維持したまま全系の小型化を図るのが困難になってくる。特許文献２では、負の屈折力の第３レンズ群をフォーカスレンズ群としており、特許文献３では、正の屈折力の第３レンズ群をフォーカスレンズ群としている。
【００１０】
これらのズームレンズでは、フォーカスレンズ群の移動量を小さくするべく、フォーカスレンズ群のパワーを強めるほど、特許文献２では第２レンズ群の負のパワーが、特許文献３では第４レンズ群の正のパワーが弱まってしまう。そのため、特許文献２では、第２レンズ群と第３レンズ群を合成したレンズ群を負の屈折力のレンズ群としたとき、負の屈折力の第２レンズ群に対し、主点位置が大きく像側にずれてしまう。また、特許文献３では、第３レンズ群と第４レンズ群を合成したレンズ群を正の屈折力のレンズ群としたとき、正の屈折力の第３レンズ群に対し、主点位置が大きく物体側にずれてしまう。 
【００１１】
この結果、ズーミングに際しての収差変動を補正するため各レンズ群のパワーを適切に設定することが難しくなり、高性能化とフォーカスレンズ群の小型化を図るのが難しくなる傾向があった。一般にズームレンズにおいて、高速なフォーカスが容易でフォーカスに際しての収差変動が少なく、物体距離全般にわたり高い光学性能を得るには、ズームタイプ及びフォーカスレンズ群とその前後のレンズ群を適切に構成することが重要になってくる。
【００１２】
本発明は、物体距離全般にわたり、高い光学性能を有し、しかもフォーカスを高速に行うことができるズームレンズ及びそれを有する撮像装置の提供を目的とする。
【課題を解決するための手段】
【００１３】
本発明のズームレンズは、フォーカシング及びズーミングに際して移動する２枚以下のレンズよりなる負の屈折力のレンズ群Ｌｎと、前記レンズ群Ｌｎの物体側に隣接して配置された正の屈折力のレンズ群Ｌｐ１と、前記レンズ群Ｌｎの像側に隣接して配置された正の屈折力のレンズ群Ｌｐ２とを有し、ズーミングに際して前記レンズ群Ｌｐ１と前記レンズ群Ｌｐ２が一体的に移動するズームレンズであって、
広角端における全系の最も物体側のレンズ面から像面までの距離をＴｌｗ、広角端における前記レンズ群Ｌｎの最も像側のレンズ面から像面までの距離をＤｎｗ、広角端におけるバックフォーカスをｂｆｗ、望遠端における前記レンズ群Ｌｎのフォーカシングの際の最大移動量（無限遠から至近距離へのフォーカシングに際して物体側から像側へ移動するときを正とする）をＭｆｎｔ、広角端から望遠端へのズーミングの際の前記レンズ群Ｌｎとレンズ群Ｌｐ１との間隔の変化量（間隔が広がる方向を正とする）をＭｎｚとするとき、
０．２＜（Ｄｎｗ−ｂｆｗ）／（Ｔｌｗ−ｂｆｗ）＜０．８
０．３＜−Ｍｎｚ／Ｍｆｎｔ＜１．０
なる条件式を満足することを特徴としている。
この他、本発明のズームレンズは、フォーカシング及びズーミングに際して移動する２枚以下のレンズよりなる負の屈折力のレンズ群Ｌｎと、前記レンズ群Ｌｎの物体側に隣接して配置された正の屈折力のレンズ群Ｌｐ１と、前記レンズ群Ｌｎの像側に隣接して配置された正の屈折力のレンズ群Ｌｐ２とを有し、ズーミングに際して前記レンズ群Ｌｐ１と前記レンズ群Ｌｐ２が移動するズームレンズであって、
広角端における全系の最も物体側のレンズ面から像面までの距離をＴｌｗ、広角端における前記レンズ群Ｌｎの最も像側のレンズ面から像面までの距離をＤｎｗ、広角端におけるバックフォーカスをｂｆｗ、望遠端における前記レンズ群Ｌｎのフォーカシングの際の最大移動量（無限遠から至近距離へのフォーカシングに際して物体側から像側へ移動するときを正とする）をＭｆｎｔ、広角端から望遠端へのズーミングの際の前記レンズ群Ｌｎとレンズ群Ｌｐ１との間隔の変化量（間隔が広がる方向を正とする）をＭｎｚ、
広角端における前記レンズ群Ｌｐ１、前記レンズ群Ｌｎ、前記レンズ群Ｌｐ２の合成レンズ群の後側主点位置をｏｋｗ、前記レンズ群Ｌｐ２の後側主点位置をｏｋｐ２、前記レンズ群Ｌｐ２の焦点距離をｆｐ２とするとき、
０．２＜（Ｄｎｗ−ｂｆｗ）／（Ｔｌｗ−ｂｆｗ）＜０．８
０．３＜−Ｍｎｚ／Ｍｆｎｔ＜１．０
｜（ｏｋｗ−ｏｋｐ２）／ｆｐ２｜＜０．３
なる条件式を満足することを特徴としている。
この他、本発明のズームレンズは、フォーカシング及びズーミングに際して移動する２枚以下のレンズよりなる正の屈折力のレンズ群Ｌｐと、前記レンズ群Ｌｐの物体側に隣接して配置された負の屈折力のレンズ群Ｌｎ１と、前記レンズ群Ｌｐの像側に隣接して配置された負の屈折力のレンズ群Ｌｎ２とを有し、ズーミングに際して前記レンズ群Ｌｎ１と前記レンズ群Ｌｎ２が一体的に移動するズームレンズであって、
広角端における全系の最も物体側のレンズ面から像面までの距離をＴｌｗ、広角端における前記レンズ群Ｌｎ２の最も像側のレンズ面から像面までの距離をＤｎ２ｗ、広角端におけるバックフォーカスをｂｆｗ、望遠端における前記レンズ群Ｌｐのフォーカシングの際の最大移動量（無限遠から至近距離へのフォーカシングに際して物体側から像側へ移動するときを正とする）をＭｆｐｔ、広角端から望遠端へのズーミングの際の前記レンズ群Ｌｐとレンズ群Ｌｎ２との間隔変化量（間隔が狭まる方向を正とする）をＭｐｚとするとき、
０．２＜（Ｄｎ２ｗ−ｂｆｗ）／（Ｔｌｗ−ｂｆｗ）＜０．８
０．３＜−Ｍｐｚ／Ｍｆｐｔ＜１．０
なる条件式を満足することを特徴としている。
この他、本発明のズームレンズは、フォーカシング及びズーミングに際して移動する２枚以下のレンズよりなる正の屈折力のレンズ群Ｌｐと、前記レンズ群Ｌｐの物体側に隣接して配置された負の屈折力のレンズ群Ｌｎ１と、前記レンズ群Ｌｐの像側に隣接して配置された負の屈折力のレンズ群Ｌｎ２とを有し、ズーミングに際して前記レンズ群Ｌｎ１と前記レンズ群Ｌｎ２が移動するズームレンズであって、
広角端における全系の最も物体側のレンズ面から像面までの距離をＴｌｗ、広角端における前記レンズ群Ｌｎ２の最も像側のレンズ面から像面までの距離をＤｎ２ｗ、広角端におけるバックフォーカスをｂｆｗ、望遠端における前記レンズ群Ｌｐのフォーカシングの際の最大移動量（無限遠から至近距離へのフォーカシングに際して物体側から像側へ移動するときを正とする）をＭｆｐｔ、広角端から望遠端へのズーミングの際の前記レンズ群Ｌｐとレンズ群Ｌｎ２との間隔変化量（間隔が狭まる方向を正とする）をＭｐｚ、
広角端における前記レンズ群Ｌｎ１、前記レンズ群Ｌｐ、前記レンズ群Ｌｎ２の合成レンズ群の前側主点位置をｏ１ｗ、前記レンズ群Ｌｎ１の前側主点位置をｏ１ｎ１、前記レンズ群Ｌｎ１の焦点距離をｆｎ１とするとき、
０．２＜（Ｄｎ２ｗ−ｂｆｗ）／（Ｔｌｗ−ｂｆｗ）＜０．８
０．３＜−Ｍｐｚ／Ｍｆｐｔ＜１．０
｜（ｏ１ｗ−ｏ１ｎ１）／ｆｎ１｜＜０．３
なる条件式を満足することを特徴としている。
【００１４】
０．２＜（Ｄｎｗ−ｂｆｗ）／（Ｔｌｗ−ｂｆｗ）＜０．８
０．３＜−Ｍｎｚ／Ｍｆｎｔ＜１．０
なる条件式を満足することを特徴としている。
【発明の効果】
【００１５】
本発明によれば、物体距離全般にわたり、高い光学性能を有し、しかもフォーカスを高速に行うことができるズームレンズが得られる。
【図面の簡単な説明】
【００１６】
【図１】本発明における実施例１のズームレンズの広角端におけるレンズ断面図
【図２】（Ａ）、（Ｂ）、（Ｃ）、（Ｄ）  本発明における数値実施例１のズームレンズの無限遠物体に合焦したときの広角端と望遠端、物体距離４２０ｍｍに合焦したときの広角端と望遠端における収差図
【図３】本発明における実施例２のズームレンズの広角端におけるレンズ断面図
【図４】（Ａ）、（Ｂ）、（Ｃ）、（Ｄ）  本発明における数値実施例２のズームレンズの無限遠物体に合焦したときの広角端と望遠端、物体距離３００ｍｍに合焦したときの広角端と望遠端における収差図
【図５】本発明における実施例３のズームレンズの広角端におけるレンズ断面図
【図６】（Ａ）、（Ｂ）、（Ｃ）、（Ｄ）  本発明における数値実施例３のズームレンズの無限遠物体に合焦したときの広角端と望遠端、物体距離３９０ｍｍに合焦したときの広角端と望遠端における収差図
【図７】本発明における実施例４のズームレンズの広角端におけるレンズ断面図
【図８】（Ａ）、（Ｂ）、（Ｃ）、（Ｄ）  本発明における数値実施例４のズームレンズの無限遠物体に合焦したときの広角端と望遠端、物体距離４２０ｍｍに合焦したときの広角端と望遠端における収差図
【図９】本発明における実施例５のズームレンズの広角端におけるレンズ断面図
【図１０】（Ａ）、（Ｂ）、（Ｃ）、（Ｄ）  本発明における数値実施例５のズームレンズの無限遠物体に合焦したときの広角端と望遠端、物体距離４２０ｍｍに合焦したときの広角端と望遠端における収差図
【図１１】本発明の撮像装置の要部概略図
【発明を実施するための形態】
【００１７】
以下、本発明のズームレンズ及びそれを有する撮像装置の実施例について説明する。本発明のズームレンズは、フォーカシング及びズーミングに際して移動する２枚以下のレンズよりなる負の屈折力のレンズ群Ｌｎを有する。更に、レンズ群Ｌｎの物体側に隣接して配置された正の屈折力のレンズ群Ｌｐ１と、レンズ群Ｌｎの像側に隣接して配置された正の屈折力のレンズ群Ｌｐ２とを有する。そしてレンズ群Ｌｐ１とレンズ群Ｌｐ２はズーミングに際して移動する。
【００１８】
この他、本発明のズームレンズは、フォーカシング及びズーミングに際して移動する２枚以下のレンズよりなる正の屈折力のレンズ群Ｌｐを有する。更にレンズ群Ｌｐの物体側に隣接して配置された負の屈折力のレンズ群Ｌｎ１と、レンズ群Ｌｐの像側に隣接して配置された負の屈折力のレンズ群Ｌｎ２とを有する。そしてレンズ群Ｌｎ１とレンズ群Ｌｎ２はズーミングに際して移動する。
【００１９】
図１は本発明の実施例１のズームレンズの広角端（短焦点距離端）におけるレンズ断面図である。図２（Ａ）、（Ｂ）、（Ｃ）、（Ｄ）はそれぞれ数値実施例１のズームレンズの無限遠物体に合焦したときの広角端と望遠端（長焦点距離端）と至近距離物体（撮影距離４２０ｍｍ）に合焦したときの広角端と望遠端における収差図である。（撮影距離４２０ｍｍは後述する数値実施例の数値をｍｍ単位で表したときである。以下同じ）。
【００２０】
図３は本発明の実施例２のズームレンズの広角端におけるレンズ断面図である。図４（Ａ）、（Ｂ）、（Ｃ）、（Ｄ）はそれぞれ数値実施例２のズームレンズの無限遠物体に合焦したときの広角端と望遠端、至近距離物体（撮影距離３００ｍｍ）に合焦したときの広角端と望遠端における収差図である。
【００２１】
図５は本発明の実施例３のズームレンズの広角端におけるレンズ断面図である。図６（Ａ）、（Ｂ）、（Ｃ）、（Ｄ）はそれぞれ数値実施例３のズームレンズの無限遠物体に合焦したときの広角端と望遠端、至近距離物体（撮影距離３９０ｍｍ）に合焦したときの広角端と望遠端における収差図である。
【００２２】
図７は本発明の実施例４のズームレンズの広角端におけるレンズ断面図である。図８（Ａ）、（Ｂ）、（Ｃ）、（Ｄ）はそれぞれ数値実施例４のズームレンズの無限遠物体に合焦したときの広角端と望遠端、至近距離物体（撮影距離４２０ｍｍ）に合焦したときの広角端と望遠端における収差図である。
【００２３】
図９は本発明の実施例５のズームレンズの広角端におけるレンズ断面図である。図１０（Ａ）、（Ｂ）、（Ｃ）、（Ｄ）はそれぞれ数値実施例５のズームレンズの無限遠物体に合焦したときの広角端と望遠端、至近距離物体（撮影距離４２０ｍｍ）に合焦したときの広角端と望遠端における収差図である。図１１は本発明のズームレンズを備える一眼レフカメラ（撮像装置）の要部概略図である。
【００２４】
各実施例のズームレンズはビデオカメラやデジタルカメラそして銀塩フィルムカメラ等の撮像装置に用いられる撮影レンズ系（光学系）である。レンズ断面図において、左方が物体側（前方）で、右方が像側（後方）である。レンズ断面図において、ｉは物体側からのレンズ群の順番を示し、Ｌｉは第ｉレンズ群である。ＳＰは開口絞りである。ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する。
【００２５】
矢印は広角端から望遠端へのズーミングにおける各レンズ群の移動軌跡を示している。球面収差図はｄ線（実線）、ｇ線（破線）について示している。非点収差図において破線はｄ線でのメリディオナル像面ΔＭ、実線はｄ線でのサジタル像面ΔＳである。また、歪曲を示す図はｄ線における歪曲を示している。倍率色収差はｇ線について示している。ＦｎｏはＦナンバー、ωは半画角である。尚、以下の各実施例において広角端と望遠端は変倍用レンズ群が機構上光軸上を移動可能な範囲の両端に位置したときのズーム位置をいう。
【００２６】
通常のズームレンズでは、フォーカシングで移動するフォーカスレンズ群のパワー（屈折力）を極力強め、フォーカシングに際しての移動範囲を小さくすることで、全系の小型化を図っている。まず、本発明のズームレンズと前述した特許文献１乃至３のズームレンズとの差異について説明する。
【００２７】
フォーカスレンズ群が少ないレンズ枚数で構成されるズームレンズにおいて、フォーカスレンズ群のパワーを強め過ぎると、フォーカスレンズ群の残存収差が大きくなるため、物体距離の変化による収差変動が著しく大きくなってしまう。そのため、フォーカスレンズ群の小型軽量化と物体距離の変化による収差変動の軽減の両立を図ると、フォーカス移動量が増えてしまい、ズーミング用のレンズ群が移動するスペースが少なくなってくる。例えば特許文献１の６群ズームレンズでは、小型軽量の負の屈折力の第５レンズ群でフォーカシングを行っている。
【００２８】
特許文献１では第４レンズ群と第６レンズ群が正のパワーを有している。そして第４レンズ群から第６レンズ群までで正の屈折力の合成レンズ群を形成することで、フォーカスレンズ群のパワーを強めても、正の屈折力の合成レンズ群の主点位置が所望の位置に配置できるようにしている。
【００２９】
特許文献１では、第４レンズ群から第６レンズ群の合成レンズ群は、フォーカスレンズ群である第５レンズ群が強い負のパワーであり、かつその移動スペースを大きく確保している。このため、負、正、負、正の屈折力のレンズ群よりなる４群ズームレンズの正の屈折力の第４レンズ群に対して、パワーが緩くなってくる。そのため、レトロフォーカスのパワー配置が崩れてくる傾向があった。
【００３０】
更に、像面寄りの軸外主光線の入射高が高い位置に、強い負の屈折力のレンズ群を配置しているため、軸外光線が大きく跳ね上げられ、像側の正レンズでの軸外主光線の入射高が変化し、物体距離の変化に伴い、軸外収差が変化する傾向があった。
【００３１】
また、特許文献２のズームレンズでは、フォーカスレンズ群である第３レンズ群のパワーを強めてフォーカス移動量を抑えようとすると、第２レンズ群と第３レンズ群を合成した負の屈折力のレンズ群の前側主点位置が、第３レンズ群側に移動してしまう。それは即ち、正、負、正、正の屈折力のレンズ群よりなる４群ズームでの広角端において、第１レンズ群とバリエーターである第２レンズ群との間隔を広げることと同義であり、広角化に著しく不利となる。
【００３２】
また、特許文献２では、フォーカスレンズ群である第３レンズ群を広角端においては第２レンズ群側に、望遠端において第４レンズ群側に間隔を詰めるよう、ズーミングに際して移動させることで、変倍効果を得ている。ところが、第２レンズ群と第３レンズ群の間隔をフォーカスレンズ群の移動分だけ確保する必要がある。このため、第２レンズ群の第４レンズ群側への移動が制限され、やはり前述した４群ズームレンズと比較すると、バリエーターとしての変倍効果を大きく逸している。
【００３３】
特許文献３のズームレンズでは、第４レンズ群の正のパワー（屈折力）がフォーカスレンズ群である第３レンズ群側に分配されている。そして第３レンズ群と第４レンズ群の主点位置が第３レンズ群側に移動し、広角端において長いバックフォーカスを確保することが困難になっている。また、広角端から望遠端へのズーミングに際し、第３レンズ群は第２レンズ群側に移動することで変倍をしている。このため、第４レンズ群は第３レンズ群のフォーカスレンズ群の移動分だけ、第２レンズ群側に詰めることができず、やはり前述した４群ズームレンズに比べて変倍効果を逸している。
【００３４】
これらに対し本発明のズームレンズの一態様（実施例１、２、４、５）では、次のとおりである。負のパワーのフォーカスレンズ群Ｌｎを正のパワーのレンズ群Ｌｐ１と正のパワーのレンズ群Ｌｐ２で挟んだ、正のパワーの合成レンズ群（Ｌｐ１、Ｌｎ、Ｌｐ２）を像面から離れた位置に配置した。
【００３５】
これによればレンズ群Ｌｎのパワーを強めても、正の屈折力の合成レンズ群の主点位置を著しく変化させることがないため、フォーカスレンズ群Ｌｎのフォーカス移動量を小さくし、全系を小型軽量化することが容易になる。また、レンズ群Ｌｎを像側からある程度離れた位置に配置し、軸外主光線の入射高が高い位置に入射するのを避けている。これにより、フォーカシングによるレンズ群Ｌｎの両側のレンズ群Ｌｐ１、レンズ群Ｌｐ２での軸外主光線の入射高の変化が小さくなり、物体距離の変化による軸外収差の変動を小さくしている。
【００３６】
また、レンズ群Ｌｎは、その両側のレンズ群Ｌｐ１、レンズ群Ｌｐ２どちらかとの間でアフォーカルな関係を形成しやすく、それによりフォーカシングによる軸上光線の入射高の変化も小さくできる。この結果、物体距離の変化による球面収差や軸上色収差等の軸上収差の変動を小さくしている。
【００３７】
また本発明のズームレンズでは、レンズ群Ｌｎをレンズ群Ｌｐ１に対し、無限遠物体から至近距離物体へのフォーカシングに際して狭める方向に移動する。そして広角端から望遠端へのズーミングに際してはレンズ群Ｌｎはレンズ群Ｌｐ１に対して逆に広がるように移動する。これにより変倍効果を得ており、フォーカスレンズ群が移動するスペースを空けたことによる各変倍用のレンズ群への負担を補償している。それにより、小型軽量なフォーカス機構を有しながら、全ズーム域、全フォーカス域で良好な光学性能を有し、かつ全系の小型化を容易にしている。
【００３８】
また、本発明の他の態様（実施例３）では、以上のレンズ群Ｌｎ、レンズ群Ｌｐ１、レンズ群Ｌｐ２の関係の正、負の屈折力を逆転させた構成としている。即ち、正のパワーのフォーカスレンズ群Ｌｐと、その両側に隣接する負の屈折力のレンズ群Ｌｎ１、負の屈折力のレンズ群Ｌｎ２を配置して前述と同様の効果を得ている。実施例３では、レンズ群Ｌｐをレンズ群Ｌｎ２に対し、無限遠物体から至近距離物体へのフォーカシングに際して狭める方向へ移動する。そして広角端から望遠端へのズーミングに際しては、レンズ群Ｌｐはレンズ群Ｌｎ２に対して広がるように移動している。
【００３９】
次に、本実施例のズームレンズにおける、最良の形態を述べる。まず実施例１、２、４、５のズームレンズの特徴について説明する。実施例１、２、４、５ではフォーカシング及びズーミングに際して移動する２枚以下のレンズよりなる負の屈折力のレンズ群Ｌｎを有する。更に、レンズ群Ｌｎの物体側に隣接して配置された正の屈折力のレンズ群Ｌｐ１と、レンズ群Ｌｎの像側に隣接して配置された正の屈折力のレンズ群Ｌｐ２とを有する。そしてレンズ群Ｌｐ１とレンズ群Ｌｐ２はズーミングに際して移動する。
【００４１】
広角端における全系の最も物体側のレンズ面から像面までの距離をＴｌｗとする。広角端におけるレンズ群Ｌｎの最も像側のレンズ面から像面までの距離をＤｎｗとする。広角端におけるバックフォーカスをｂｆｗとする。望遠端におけるレンズ群Ｌｎのフォーカシングの際の最大移動量（物体側から像側を正とする）をＭｆｎｔとする。広角端から望遠端へのズーミングに際しての、レンズ群Ｌｎ
とレンズ群Ｌｐ１との間隔変化量（間隔が広がる方向を正とする）をＭｎｚとする。
【００４２】
このとき、
０．２＜（Ｄｎｗ−ｂｆｗ）／（Ｔｌｗ−ｂｆｗ）＜０．８    ・・・（１）
０．３＜−Ｍｎｚ／Ｍｆｎｔ＜１．０                        ・・・（２）
なる条件式を満足している。
【００４３】
フォーカス用の負の屈折力のレンズ群Ｌｎを正のパワーのレンズ群Ｌｐ１と正のパワーのレンズ群Ｌｐ２で挟み込んでいる。これにより、レンズ群Ｌｎのパワーを強くしても、レンズ群Ｌｐ１、レンズ群Ｌｎ、レンズ群Ｌｐ２の合成レンズ群の主点位置を所望の位置に配置できるようにしている。そして、フォーカス用のレンズ群のパワーを強め、フォーカシングに際しての移動量を小さくしている。
【００４４】
条件式（１）を満たす位置に、レンズ群Ｌｎが配置されるようにして、フォーカシングによる両側のレンズ群Ｌｐ１、レンズ群Ｌｐ２への軸外主光線の入射高の変化が小さくなるようにして、物体距離の変化による軸外収差の変動を小さくしている。条件式（１）の下限値を逸脱すると、広角端において正のパワーを要する像面寄りに、負のパワーのレンズ群が配置されることになる。このため、レトロフォーカスのパワー配置が崩れ、広画角化と全系の小型化を図るのが困難になる。
【００４５】
加えて、像側は軸外主光線の入射高が大きいため、強い負のパワーで軸外光束が跳ね上げられてしまい、物体距離の変化に伴う軸外収差の変動が大きくなってくる。また、条件式（１）の上限値を逸脱すると、レンズ群Ｌｎが物体側に近くなり過ぎ、軸外主光線の入射高が、像面側とは反対方向に大きくなり、物体距離の変化に伴う軸外収差の変動が大きくなってしまう。レンズ群Ｌｎが、条件式（２）の関係で、フォーカシングだけでなくズーミングでも移動すると、レンズ群Ｌｎがフォーカスで移動するスペースを効果的にズーミングにも利用でき、全系の小型化が容易になる。
【００４６】
条件式（２）の上限を逸脱すると、レンズ群Ｌｎの望遠端におけるフォーカス移動量に対して、必要以上にスペースを空けることとなり、全系が大型化してくる。条件式（２）の下限を逸脱すると、レンズ群Ｌｎによる変倍効果が少なくなる。条件式（１）、（２）を満たすことで、レンズ群Ｌｎが、２枚以下の少ないレンズ構成にも関わらず、フォーカス移動量を小さくかつ、ズーミングでの変倍効果も大きくし、更にフォーカシングによる収差変動も小さくすることが容易となる。更に好ましくは条件式（１）、（２）の数値を次の如く設定するのが良い。
【００４７】
０．２５＜（Ｄｎｗ−ｂｆｗ）／（Ｔｌｗ−ｂｆｗ）＜０．６  ・・・（１ａ）
０．３５＜−Ｍｎｚ／Ｍｆｎｔ＜０．９５                    ・・・（２ａ）
実施例１、２、４、５において更に好ましくは次の諸条件のうち１以上を満足するのが良い。レンズ群Ｌｎ、レンズ群Ｌｐ１、レンズ群Ｌｐ２の焦点距離を各々ｆｎ、ｆｐ１、ｆｐ２とする。レンズ群Ｌｎの物体側と像側の光線有効径を各々ｅａ＿ｎｆ、ｅａ＿ｎｒとする。レンズ群Ｌｐ１の像側とレンズ群Ｌｐ２の物体側の光線有効径を各々ｅａ＿ｐ１ｒ、ｅａ＿ｐ２ｆとする。
【００４８】
広角端におけるレンズ群Ｌｐ１、レンズ群Ｌｎ、レンズ群Ｌｐ２の合成レンズ群の後側主点位置をｏｋｗ、レンズ群Ｌｐ２の後側主点位置をｏｋｐ２、レンズ群Ｌｐ２の焦点距離をｆｐ２とする。広角端と望遠端におけるレンズ群Ｌｎの横倍率を各々βｎｗ、βｎｔとする。このとき以下の条件式のうち１以上を満足するのが良い。
【００４９】
０．４＜−ｆｐ１／ｆｎ＜２．５                ・・・（３）
０．４＜−ｆｐ２／ｆｎ＜２．５                ・・・（４）
０．７＜ｅａ＿ｐ１ｒ／ｅａ＿ｎｆ＜１．４      ・・・（５）
０．７＜ｅａ＿ｐ２ｆ／ｅａ＿ｎｒ＜１．４      ・・・（６）
｜（ｏｋｗ−ｏｋｐ２）／ｆｐ２｜＜０．３      ・・・（７）
｜βｎｗ｜＜１．０                            ・・・（８）
｜βｎｔ｜＜１．０                            ・・・（９）
条件式（３）、（４）はレンズ群Ｌｎで発生する各収差及び、その物体距離の変化に伴う収差変動をレンズ群Ｌｐ１とレンズ群Ｌｐ２で良好に補正するためものである。
【００５０】
条件式（３）及び（４）の上限値を逸脱すると、それぞれレンズ群Ｌｐ１、レンズ群Ｌｐ２のパワーが弱くなり、レンズ群Ｌｎで発生する各収差及びその物体距離の変化に伴う収差変動が過剰になってしまい、光学性能が劣化してくる。条件式（３）及び（４）の下限値を逸脱すると、レンズ群Ｌｎのパワーが弱過ぎるため、フォーカス移動量が大きくなり、全系が大型化してくる。
【００５１】
条件式（５）、（６）はレンズ群Ｌｎ及びレンズ群Ｌｐ１、レンズ群Ｌｐ２の光線有効径に関する。条件式（５）、（６）は、レンズ群Ｌｎと、それぞれレンズ群Ｌｐ１、レンズ群Ｌｐ２との有効径比について規定している。条件式（５）、（６）の値を１に近づけることで、軸外主光線の入射高の変化を小さくして、物体距離の変化に伴う像面湾曲や倍率色収差等の軸外収差の変動を小さくしている。
【００５２】
条件式（５）及び（６）の上限値を逸脱すると、レンズ群Ｌｎに対してそれぞれ、レンズ群Ｌｐ１、レンズ群Ｌｐ２の有効径が大き過ぎて、また下限値を逸脱すると、レンズ群Ｌｐ１、レンズ群Ｌｐ２の有効径が逆に小さ過ぎるので良くない。そのどちらにおいても、レンズ群Ｌｎへの軸外主光線の入射高の変化が大きくなるため、物体距離の変化に伴う軸外収差の変動が大きくなってくる。
【００５３】
条件式（７）はレンズ群Ｌｐ１、レンズ群Ｌｎ、レンズ群Ｌｐ２よりなる広角端における合成レンズ群の後側主点位置を、レンズ群Ｌｐ２の後側主点位置に近づけることで、ズーミングに際して収差を良好に補正するためのものである。条件式（７）の上限値を越えて後側主点位置ｏｋｗが大きくなる側に逸脱すると、レンズ群Ｌｐ１のパワーが弱く逆にレンズ群Ｌｎのパワーが強過ぎるため、フォーカスによる収差変動が大きくなってくる。
【００５４】
また、条件式（７）の上限値を越えて後側主点位置ｏｋｗが小さくなる側に逸脱すると、正の屈折力の合成レンズ群の主点位置が像側から離れ過ぎ、レトロフォーカスのパワー配置が崩れ、全系が大型化してくる。
【００５５】
条件式（８）はレンズ群Ｌｎの広角端における横倍率に関する。条件式（８）を満足することにより、レンズ群Ｌｐ１とレンズ群Ｌｎの間をアフォーカルに近づけ、物体距離の変化に伴う球面収差や軸上色収差等の軸上収差の変動を小さくしている。条件式（８）を逸脱すると、レンズ群Ｌｐ１とレンズ群Ｌｎのレンズ群間のアフォーカルが崩れ、物体距離の変化に伴う軸上収差の変動が大きくなってくる。
【００５６】
条件式（９）はレンズ群Ｌｎの広角端だけでなく望遠端でも条件式（８）と同じように、横倍率を適切に設定するためのものである。条件式（９）を満足することにより、広角端と同様、望遠端においても、レンズ群Ｌｐ１とレンズ群Ｌｎのレンズ群間をアフォーカルに近づけ、物体距離の変化に伴う軸上収差の変動を小さくしている。更に好ましくは条件式（３）乃至（９）の数値範囲を次の如く設定するのが良い。
【００５７】
０．７＜−ｆｐ１／ｆｎ＜２．０                ・・・（３ａ）
０．５＜−ｆｐ２／ｆｎ＜１．６                ・・・（４ａ）
０．８３＜ｅａ＿ｐ１ｒ／ｅａ＿ｎｆ＜１．２    ・・・（５ａ）
０．８３＜ｅａ＿ｐ２ｆ／ｅａ＿ｎｒ＜１．２    ・・・（６ａ）
｜（ｏｋｗ−ｏｋｐ２）／ｆｐ２｜＜０．２      ・・・（７ａ）
｜βｎｗ｜＜０．４                            ・・・（８ａ）
｜βｎｔ｜＜０．５                            ・・・（９ａ）
実施例１、２、４、５においてレンズ群Ｌｐ１、レンズ群Ｌｐ２をズーミングに際して一体で移動させると、各レンズ群の相対偏芯が抑えられ、製造誤差を小さくできる上、メカ構造を簡易化できるため、好ましい。
【００５８】
次に実施例３のズームレンズの特徴について説明する。実施例３のズームレンズは、フォーカシング及びズーミングに際して移動する２枚以下のレンズよりなる正の屈折力のレンズ群Ｌｐを有する。更にレンズ群Ｌｐの物体側に隣接して配置された負の屈折力のレンズ群Ｌｎ１と、レンズ群Ｌｐの像側に隣接して配置された負の屈折力のレンズ群Ｌｎ２とを有する。そしてレンズ群Ｌｎ１とレンズ群Ｌｎ２はズーミングに際して移動する。
【００５９】
広角端において全系の最も物体側のレンズ面から像面までの距離をＴｌｗとする。広角端においてレンズ群Ｌｎ２の最も像側のレンズ面から像面までの距離をＤｎ２ｗとする。広角端におけるバックフォーカスをｂｆｗとする。望遠端におけるレンズ群Ｌｐのフォーカシングの際の最大移動量（物体側から像側を正とする）をＭｆｐｔとする。広角端から望遠端へのズーミングに際しての、レンズ群Ｌｐとレンズ群Ｌｎ２との間隔変化量（間隔が狭まる方向を正とする）をＭｐｚとする。
【００６０】
このとき、
０．２＜（Ｄｎ２ｗ−ｂｆｗ）／（Ｔｌｗ−ｂｆｗ）＜０．８    ・・・（１０）
０．３＜−Ｍｐｚ／Ｍｆｐｔ＜１．０                          ・・・（１１）
なる条件式を満足している。
【００６１】
フォーカス用の正の屈折力のレンズ群Ｌｐを負のパワーのレンズ群Ｌｎ１と負のパワーのレンズ群Ｌｎ２で挟み込んでいる。これにより、レンズ群Ｌｐのパワーを強くしても、レンズ群Ｌｎ１、レンズ群Ｌｐ、レンズ群Ｌｎ２の合成レンズ群の主点位置を所望の位置に配置できるようにしている。そして、フォーカス用のレンズ群のパワーを強め、フォーカシングに際しての移動量を小さくしている。
【００６２】
条件式（１０）を満たす位置に、レンズ群Ｌｐが配置されるようにして、フォーカシングによる両側のレンズ群Ｌｎ１、レンズ群Ｌｎ２への軸外主光線の入射高の変化が小さくなるようにして、物体距離の変化に伴う軸外収差の変動を小さくしている。条件式（１０）の下限値を逸脱すると、広角端において強い正のパワーを要する像面寄りに、負の強いパワーのレンズ群が配置されることになる。このため、レトロフォーカスのパワー配置が崩れ、広画角化と全系の小型化を図るのが困難になる。
【００６３】
加えて、像側は軸外主光線の入射高が大きいため、強い負のパワーで軸外光束が跳ね上げられてしまい、物体距離の変化に伴う軸外収差の変動が大きくなってくる。また、条件式（１０）の上限値を逸脱すると、レンズ群Ｌｎ２が物体側に近くなり過ぎ、軸外主光線の入射高が、像面側とは反対方向に大きくなり、物体距離の変化に伴う軸外収差の変動が大きくなってくる。
【００６４】
レンズ群Ｌｐが、条件式（１１）の関係で、フォーカシングだけでなくズーミングでも移動すると、レンズ群Ｌｐがフォーカスで移動するスペースを効果的にズーミングにも利用でき、全系の小型化が容易になる。条件式（１１）の上限を逸脱するとレンズ群Ｌｐの望遠端におけるフォーカス移動量に対して、必要以上にスペースを空けることになり、全系が大型化してくる。条件式（１１）の下限を逸脱すると、レンズ群Ｌｐの変倍効果が少なくなる。
【００６５】
条件式（１０）、（１１）を満たすことで、レンズ群Ｌｐが、２枚以下の少ないレンズ構成にも関わらず、フォーカス移動量を小さくかつ、ズーミングでの変倍効果も大きくし、更にフォーカシングによる収差変動も小さくすることが容易となる。更に好ましくは条件式（１０）、（１１）の数値範囲を次の如く設定するのが良い。
【００６６】
０．３＜（Ｄｎ２ｗ−ｂｆｗ）／（Ｔｌｗ−ｂｆｗ）＜０．７    ・・・（１０ａ）
０．３５＜−Ｍｐｚ／Ｍｆｐｔ＜０．９５                      ・・・（１１ａ）
更に好ましくは次の諸条件のうち１以上を満足するのが良い。レンズ群Ｌｐ、レンズ群Ｌｎ１、レンズ群Ｌｎ２の焦点距離を各々ｆｐ、ｆｎ１、ｆｎ２とする。レンズ群Ｌｐの物体側と像側の光線有効径を各々ｅａ＿ｐｆ、ｅａ＿ｐｒとする。レンズ群Ｌｎ１の像側とレンズ群Ｌｎ２の物体側の光線有効径を各々ｅａ＿ｎ１ｒ、ｅａ＿ｎ２ｆとする。
【００６７】
広角端におけるレンズ群Ｌｎ１、レンズ群Ｌｐ、レンズ群Ｌｎ２の合成レンズ群の前側主点位置をｏ１ｗとする。レンズ群Ｌｎ１の前側主点位置をｏ１ｎ１、レンズ群Ｌｎ１の焦点距離をｆｎ１とする。広角端と望遠端におけるレンズ群Ｌｎ２の横倍率を各々βｎ２ｗ、βｎ２ｔとする。このとき以下の条件式のうち、１以上を満足するのが良い。
【００６８】
０．３＜−ｆｎ１／ｆｐ＜２．５                        ・・・（１２）
０．３＜−ｆｎ２／ｆｐ＜２．５                        ・・・（１３）
０．７＜ｅａ＿ｎ１ｒ／ｅａ＿ｐｆ＜１．４              ・・・（１４）
０．７＜ｅａ＿ｎ２ｆ／ｅａ＿ｐｒ＜１．４              ・・・（１５）
｜（ｏ１ｗ−ｏ１ｎ１）／ｆｎ１｜＜０．３              ・・・（１６）
｜βｎ２ｗ｜＜１．０                                  ・・・（１７）
｜βｎ２ｔ｜＜１．０                                  ・・・（１８）
条件式（１２）、（１３）はレンズ群Ｌｐで発生する各収差及び、その物体距離の変化に伴う収差変動をレンズ群Ｌｎ１と、レンズ群Ｌｎ２で良好に補正するためのものである。
【００６９】
条件式（１２）及び（１３）の上限値を逸脱すると、それぞれレンズ群Ｌｎ１、レンズ群Ｌｎ２のパワーが弱くなり、レンズ群Ｌｐで発生する各収差及びその物体距離の変化に伴う収差変動が過剰になってしまい、光学性能が劣化してくる。条件式（１２）及び（１３）の下限値を逸脱すると、レンズ群Ｌｐのパワーが弱過ぎるため、フォーカス移動量が大きくなり、全系が大型化してくる。
【００７０】
条件式（１４）、（１５）はレンズ群Ｌｐ及びレンズ群Ｌｎ１、レンズ群Ｌｎ２の光線有効径に関する。条件式（１４）、（１５）は、レンズ群Ｌｐと、それぞれレンズ群Ｌｎ１、レンズ群Ｌｎ２との有効径比について規定している。条件式（１４）、（１５）の値を１に近づけることで、軸外主光線の入射高の変化を小さくして、物体距離の変化に伴う像面湾曲や倍率色収差等の軸外収差の変動を小さくしている。
【００７１】
条件式（１４）及び（１５）の上限値を逸脱すると、レンズ群Ｌｐに対してそれぞれ、レンズ群Ｌｎ１、レンズ群Ｌｎ２の有効径が大き過ぎて、また下限値を逸脱すると、レンズ群Ｌｎ１、レンズ群Ｌｎ２の有効径が逆に小さ過ぎるので良くない。そのどちらにおいても、レンズ群Ｌｐへの軸外主光線の入射高の変化が大きくなるため、物体距離の変化に伴う軸外収差の変動が大きくなってくる。
【００７２】
条件式（１６）はレンズ群Ｌｎ１、レンズ群Ｌｐ、レンズ群Ｌｎ２の広角端における合成レンズ群の前側主点位置をレンズ群Ｌｎ１の前側主点位置に近づけることで、ズーミングに際して収差を良好に補正するためのものである。条件式（１６）の上限値が前側主点位置ｏ１ｗが小さくなる側に逸脱すると、レンズ群Ｌｎ２のパワーが弱く、逆にレンズ群Ｌｐのパワーが強過ぎるため、フォーカスによる収差変動が大きくなってくる。
【００７３】
また、条件式（１６）の上限値が前側主点位置ｏ１ｗが大きくなる側に逸脱すると、負の屈折力の合成レンズ群の主点位置が像側に寄り過ぎ、レトロフォーカスのパワー配置が崩れ、全系が大型化してくる。
【００７４】
条件式（１７）はレンズ群Ｌｎ２の広角端における横倍率に関する。条件式（１７）を満足することにより、レンズ群Ｌｐとレンズ群Ｌｎ２の間をアフォーカルに近づけ、物体距離の変化に伴う球面収差や軸上色収差等の軸上収差の変動を小さくしている。条件式（１７）を逸脱すると、レンズ群Ｌｐとレンズ群Ｌｎ２のレンズ群間のアフォーカルが崩れ、物体距離の変化に伴う軸上収差の変動が大きくなってくる。
【００７５】
条件式（１８）はレンズ群Ｌｎ２の広角端だけでなく望遠端でも条件式（１７）と同じように、横倍率を適切に設定するためのものである。条件式（１８）を満足することにより、広角端と同様、望遠端においても、レンズ群Ｌｐとレンズ群Ｌｎ２のレンズ群間をアフォーカルに近づけ、物体距離の変化に伴う軸上収差の変動を小さくしている。更に好ましくは条件式（１０）乃至（１８）の数値範囲を次の如く設定するのが良い。
【００７６】
０．３５＜−ｆｎ１／ｆｐ＜１．６                ・・・（１２ａ）
０．６＜−ｆｎ２／ｆｐ＜２．０                  ・・・（１３ａ）
０．８３＜ｅａ＿ｎ１ｒ／ｅａ＿ｐｆ＜１．２      ・・・（１４ａ）
０．８３＜ｅａ＿ｎ２ｆ／ｅａ＿ｐｒ＜１．２      ・・・（１５ａ）
｜（ｏ１ｗ−ｏ１ｎ１）／ｆｎ１｜＜０．２        ・・・（１６ａ）
｜βｎ２ｗ｜＜０．４                            ・・・（１７ａ）
｜βｎｔ｜＜０．４                              ・・・（１８ａ）
実施例３においてレンズ群Ｌｎ１と、レンズ群Ｌｎ２をズーミングに際して一体で移動させると、各レンズ群の相対偏芯が抑えられ、製造誤差を小さくできる上、メカ構造を簡易化できるため、好ましい。
【００７７】
以上のように各実施例によれば、小型軽量なフォーカス機構を有しながら、全ズーム域、全フォーカス域で良好な光学性能を有し、かつ全系が小型軽量なズームレンズを得ることができる。
【００７８】
次に各実施例について説明する。実施例１は、正の屈折力の第１レンズ群Ｌ１、負の屈折力の第２レンズ群Ｌ２、正の屈折力の第３レンズ群Ｌ３、負の屈折力の第４レンズ群Ｌ４、開口絞りＳＰを含む正の屈折力の第５レンズ群Ｌ５、正の屈折力の第６レンズ群Ｌ６で構成される。そして広角端から望遠端へのズーミングに際して第１レンズ群Ｌ１及び第３レンズ群Ｌ３乃至第６レンズ群Ｌ６は物体側へ移動し、第２レンズ群Ｌ２は像側に凸状の軌跡を描いて移動するズームレンズである。
【００７９】
実施例１はズーム比７．０２のポジティブリードタイプの６群ズームレンズである。無限遠物体から至近距離物体へのフォーカシングに際して矢印Focusの如く第４レンズ群Ｌ４は物体側へ移動する。第４レンズ群Ｌ４はレンズ群Ｌｎに相当し、第３レンズ群Ｌ３はレンズ群Ｌｐ１に相当し、第５レンズ群Ｌ５はレンズ群Ｌｐ２に相当する。
【００８０】
実施例１においてフォーカス用のレンズ群Ｌｎは１枚構成であり、小型軽量化を達成している。レンズ群Ｌｎの両側に隣接して、正の屈折力のレンズ群Ｌｐ１、Ｌｐ２を配置している。これにより、レンズ群Ｌｎのパワーを上げても、レンズ群Ｌｐ１、レンズ群Ｌｎ、レンズ群Ｌｐ２の正の合成レンズ群の主点位置をズーミングに際して適切に配置することができるようにして、全系の小型化及び高性能化を図っている。
【００８１】
具体的には、条件式（７）を満たす位置に、正の屈折力の合成レンズ群の主点を配置している。また、負レンズ群Ｌｎが像面側から離れた条件式（１）を満す位置に配置されている。それにより、像面寄りに十分な正のパワーが得られ、レトロフォーカス型のパワー配置を良好に形成することで、広画角化と全系の小型化を効果的に達成している。加えて、物体距離の変化に伴うレンズ群Ｌｐ１、レンズ群Ｌｎ、レンズ群Ｌｐ２の合成レンズ群内での軸外主光線の入射高の変動を抑え、全フォーカス域で良好な光学性能を得ている。
【００８２】
次に、レンズ群Ｌｎは、フォーカシングに際してレンズ群Ｌｐ１との間隔を狭める方向（物体側）に移動する。そして広角端から望遠端へのズーミングでは逆に、レンズ群Ｌｐ１との間隔が広がるように移動する。かつ条件式（２）を満たすことで、フォーカシングに際しての移動スペースを効果的にズーミングに充てている。
【００８３】
次に、レンズ群Ｌｎとレンズ群Ｌｐ１、レンズ群Ｌｐ２とのパワーの関係は条件式（３）、（４）を満たしており、物体距離の変化に伴うレンズ群Ｌｐ１、レンズ群Ｌｎ、レンズ群Ｌｐ２の合成レンズ群内での軸上光線の入射高の変動を小さくしている。それに加え、レンズ群Ｌｎでの横倍率は、条件式（８）、（９）を満たしており、広角端と望遠端で共に、レンズ群Ｌｎとレンズ群Ｌｐ１との間をアフォーカルにし、物体距離の変化に伴う軸上光線の入射高の変動を更に小さくしている。
【００８４】
また、レンズ群Ｌｎとレンズ群Ｌｐ１、レンズ群Ｌｐ２との有効径の関係が（５）、（６）を満たすことで、物体距離の変化に伴う軸外光線の入射高の変動も小さくしている。また、レンズ群Ｌｐ１とレンズ群Ｌｐ２をズーミングに際して一体化して移動しており、レンズ群Ｌｐ１、レンズ群Ｌｎ、レンズ群Ｌｐ２の合成レンズ群内の製造誤差が小さくなるようにメカ構成を簡易化している。
【００８５】
実施例２は、物体側より像側へ順に、負の屈折力の第１レンズ群Ｌ１、正の屈折力の第２レンズ群Ｌ２、負の屈折力の第３レンズ群Ｌ３、開口絞りＳＰを含む正の屈折力の第４レンズ群Ｌ４、正の屈折力の第５レンズ群Ｌ５で構成される。そして広角端から望遠端へのズーミングに際して第１レンズ群Ｌ１は像側に凸状の軌跡を描いて移動し、第２レンズ群Ｌ２乃至第５レンズ群Ｌ５は物体側へ移動するズームレンズである。
【００８６】
実施例２はズーム比２．４２のネガティブリードタイプの５群ズームレンズである。無限遠物体から至近距離物体へのフォーカシングに際して矢印Focusの如く第３レンズ群Ｌ３は物体側へ移動する。第３レンズ群Ｌ３はレンズ群Ｌｎに相当し、第２レンズ群Ｌ２はレンズ群Ｌｐ１に相当し、第４レンズ群Ｌ４はレンズ群Ｌｐ２に相当する。実施例２においてフォーカス用のレンズ群Ｌｎは１枚構成であり、小型軽量化を達成している。レンズ群Ｌｎ、及びレンズ群Ｌｐ１、レンズ群Ｌｐ２の光学作用は、実施例１と同様である。
【００８７】
実施例３は、正の屈折力の第１レンズ群Ｌ１、負の屈折力の第２レンズ群Ｌ２、正の屈折力の第３レンズ群Ｌ３、負の屈折力の第４レンズ群Ｌ４、開口絞りＳＰを含む正の屈折力の第５レンズ群Ｌ５、正の屈折力の第６レンズ群Ｌ６で構成される。そして広角端から望遠端へのズーミングに際して第１、第３、第５、第６レンズ群Ｌ１、Ｌ３、Ｌ５、Ｌ６は物体側へ移動し、第２、第４レンズ群Ｌ２、Ｌ４は像側に凸状の軌跡を描いて移動するズームレンズである。
【００８８】
実施例３はズーム比７．０５のポジティブリードタイプの６群ズームレンズである。無限遠物体から至近距離物体へのフォーカシングに際して第３レンズ群Ｌ３は像側へ移動する。第３レンズ群Ｌ３はレンズ群Ｌｐに相当し、第２レンズ群Ｌ２はレンズ群Ｌｎ１に相当し、第４レンズ群Ｌ４はレンズ群Ｌｎ２に相当する。
【００８９】
実施例３においてフォーカス用のレンズ群Ｌｐは１枚構成であり、小型軽量化を達成している。レンズ群Ｌｐの両側に隣接して、負の屈折力のレンズ群Ｌｎ１、Ｌｎ２を配置している。これにより、レンズ群Ｌｐのパワーを上げても、レンズ群Ｌｎ１、レンズ群Ｌｐ、レンズ群Ｌｎ２の負の合成レンズ群の主点位置をズーミングに際して適切に配置することができるようにして、全系の小型化及び高性能化を図っている。
【００９０】
具体的には、条件式（１６）を満たす位置に、負の屈折力の合成レンズ群の主点を配置している。また、レンズ群Ｌｎ２が像面側から離れた条件式（１０）を満す位置に配置されている。それにより、像面寄りに十分な正のパワーが得られ、レトロフォーカス型のパワー配置を良好に形成することで、広画角化と全系の小型化を効果的に達成している。加えて、物体距離の変化に伴うレンズ群Ｌｎ１、レンズ群Ｌｐ、レンズ群Ｌｎ２の合成レンズ群内での軸外主光線の入射高の変動を抑え、全フォーカス域で良好な光学性能を得ている。
【００９１】
次に、レンズ群Ｌｐは、フォーカシングに際してレンズ群Ｌｎ２との間隔を狭める方向に移動し、広角端から望遠端へのズーミングでは逆に、レンズ群Ｌｎ２との間隔を広げる方向に移動する。かつ条件式（１１）を満たすことで、フォーカシングに際しての移動スペースを効果的にズーミングに充てている。次に、レンズ群Ｌｐとレンズ群Ｌｎ１、レンズ群Ｌｎ２とのパワーの関係は条件式（１２）、（１３）を満たしており、物体距離の変化に伴う合成レンズ群内での軸上光線の入射高の変動を小さくしている。
【００９２】
それに加え、レンズ群Ｌｎ２での横倍率が、条件式（１７）、（１８）を満たしており、広角端と望遠端で共に、レンズ群Ｌｐとレンズ群Ｌｎ２との間をアフォーカルにし、物体距離の変化に伴う軸上光線の入射高の変動を更に小さくしている。また、レンズ群Ｌｐとレンズ群Ｌｎ１、レンズ群Ｌｎ２との有効径の関係が（１４）、（１５）を満たすことで、物体距離の変化に伴う軸外光線の入射高の変動も小さくしている。
【００９３】
また、レンズ群Ｌｎ１とレンズ群Ｌｎ２をズーミングに際して移動しており、レンズ群Ｌｎ１、レンズ群Ｌｐ、レンズ群Ｌｎ２の合成レンズ群内の製造誤差が小さくなるようにしてメカ構成を簡易化している。
【００９４】
実施例４は、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、開口絞りＳＰを含む正の屈折力の第５レンズ群Ｌ５で構成される。そして広角端から望遠端へのズーミングに際して第１レンズ群Ｌ１及び第３レンズ群Ｌ３乃至第５レンズ群Ｌ５は物体側へ移動し、第２レンズ群Ｌ２は像側に凸状の軌跡を描いて移動するズームレンズである。
【００９５】
実施例４はズーム比５．５９のポジティブリードタイプの５群ズームレンズである。無限遠物体から至近距離物体へのフォーカシングに際して矢印Focusの如く第４レンズ群Ｌ４は物体側へ移動する。第４レンズ群Ｌ４はレンズ群Ｌｎに相当し、第３レンズ群Ｌ３はレンズ群Ｌｐ１に相当し、第５レンズ群Ｌ５はレンズ群Ｌｐ２に相当する。実施例４においてフォーカス用の負レンズ群Ｌｎは１枚構成であり、小型軽量化を達成している。レンズ群Ｌｎ、及び正レンズ群Ｌｐ１、Ｌｐ２の光学作用は、実施例１と同様である。
【００９６】
実施例５は、正の屈折力の第１レンズ群Ｌ１、負の屈折力の第２レンズ群Ｌ２、正の屈折力の第３レンズ群Ｌ３、負の屈折力の第４レンズ群Ｌ４、開口絞りＳＰを含む正の屈折力の第５レンズ群Ｌ５、正の屈折力の第６レンズ群Ｌ６で構成される。そして広角端から望遠端へのズーミングに際して第１レンズ群Ｌ１及び第３レンズ群Ｌ３乃至第６レンズ群Ｌ６は物体側へ移動し、第２レンズ群Ｌ２は像側に凸状の軌跡を描いて移動するズームレンズである。実施例５はズーム比６．４５のポジティブリードタイプの６群ズームレンズである。
【００９７】
無限遠物体から至近距離物体へのフォーカシングに際して、矢印Focusの如く第４レンズ群Ｌ４は物体側へ移動する。第４レンズ群Ｌ４はレンズ群Ｌｎに相当し、第３レンズ群Ｌ３はレンズ群Ｌｐ１に相当し、第５レンズ群Ｌ５はレンズ群Ｌｐ２に相当する。実施例５においてフォーカス用のレンズ群Ｌｎは２枚構成であり、小型軽量化を達成している。レンズ群Ｌｎ、及び正レンズ群Ｌｐ１、Ｌｐ２の光学作用は、実施例１と同様である。
【００９８】
以上、本発明の好ましい実施例について説明したが、本発明はこれらの実施例に限定されないことは言うまでもなく、その要旨の範囲内で種々の変形及び変更が可能である。尚、各実施例で言うレンズ群とは、光学系の最前面または、前方に隣接するレンズとの間隔がズーミングまたはフォーカシングで変化する面から、光学系の最後面または、後方に隣接するレンズとの間隔が変倍またはフォーカシングで変化する面までを言う。
【００９９】
本発明のズームレンズは、例えば撮像装置、画像投影装置やその他の光学機器に、種々適用できる。
【０１００】
次に実施例１乃至５に示したズームレンズを撮像装置に適用した実施例を図１１を用いて説明する。本発明の撮像装置はズームレンズを含む交換レンズ装置と、交換レンズ装置とカメラマウント部を介して着脱可能に接続され、ズームレンズが形成する光学像を受光して、電気的な画像信号に変換する撮像素子を含むカメラ本体とを備えている。
【０１０１】
図１１は一眼レフカメラの要部概略図である。図１１において、１０は実施例１乃至５のズームレンズ１を有する撮影レンズである。ズームレンズ１は保持部材である鏡筒２に保持されている。２０はカメラ本体であり、撮影レンズ１０からの光束を上方に反射するクイックリターンミラー３、撮影レンズ１０の像形成位置に配置された焦点板４より構成されている。更に、焦点板４に形成された逆像を正立像に変換するペンタダハプリズム５、その正立像を観察するための接眼レンズ６などによって構成されている。
【０１０２】
７は感光面であり、ＣＣＤセンサやＣＭＯＳセンサ等のズームレンズによって形成される像を受光する固体撮像素子（光電変換素子）や銀塩フィルムが配置される。撮影時にはクイックリターンミラー３が光路から退避して、感光面７上に撮影レンズ１０によって像が形成される。各実施例のズームレンズはクイックリターンミラーのないミラーレスの一眼レフカメラにも同様に適用できる。
【０１０３】
以下に実施例１乃至５に対応する数値実施例１乃至５を示す。各数値実施例においてｉは物体側からの面の順番を示す。数値実施例においてｒｉは物体側より順に第ｉ番目のレンズ面の曲率半径、ｄｉは物体側より順に第ｉ番目のレンズ厚及び空気間隔、ｎｄｉとνｄｉは各々物体側より順に第ｉ番目のレンズの材料の屈折率とアッベ数である。ＢＦはバックフォーカスである。非球面形状は光軸方向にＸ軸、光軸と垂直方向にＨ軸、光の進行方向を正とし、ｒを近軸曲率半径、各非球面係数をＡ４、Ａ６、Ａ８、Ａ１０、Ａ１２としたとき
【０１０４】
【数１】
0005455998.tif 000002
【０１０５】
で与えるものとする。各非球面係数において「ｅ−ｘ」は「１０-x」を意味する。また、焦点距離、Ｆナンバー等のスペックに加え、画角は全系の半画角、像高は半画角を決定する最大像高、レンズ全長は第１レンズ面から像面までの距離である。バックフォーカスＢＦは最終レンズ面から像面までの長さを示している。また、各レンズ群データは、各レンズ群の焦点距離、光軸上の長さ、前側主点位置、後側主点位置を表している。また、各光学面の間隔ｄが（可変）となっている部分は、ズーミングに際して変化するものであり、別表に焦点距離に応じた面間隔を記している。
【０１０６】
面番号１は設計上用いたダミー面である。ダミー面はズームレンズを構成するものではない。尚、以下に記載する数値実施例１乃至５のレンズデータに基づく、各条件式の計算結果を表１に示す。
【０１０７】
（数値実施例１）
単位 mm
面データ
面番号       r        d      nd         νd       有効径
1          ∞       1.50                         60.02
2        111.698    2.00   1.84666    23.9       52.66
3         55.370    7.65   1.49700    81.5       50.01
4       3384.032    0.15                         49.68
5         53.774    6.23   1.66672    48.3       48.11
6        295.614  (可変)                         47.31
7        152.605    1.45   1.91082    35.3       30.90
8         15.649    7.30                         23.59
9        -48.289    1.20   1.77250    49.6       23.35
10         64.582    0.29                         23.25
11         31.507    6.72   1.84666    23.8       23.64
12        -34.468    1.10   1.77250    49.6       23.08
13        145.612  (可変)                         22.11
14         87.716    1.95   1.78472    25.7       14.57
15        -58.571  (可変)                         14.57
16        -34.608    0.70   1.90366    31.3       14.18
17        579.002  (可変)                         14.45
18         22.161    4.00   1.60311    60.6       16.08
19        -55.101    1.61                         15.76
20(絞り)    ∞       3.30                         14.77
21         30.440    4.91   1.60311    60.6       13.77
22        -17.452    0.75   1.84666    23.8       12.84
23       -494.346    3.07                         12.52
24        -24.672    0.70   1.80000    29.8       11.77
25         13.389    2.54   1.84666    23.8       11.95
26         53.386  (可変)                         12.01
27*        94.305    3.99   1.68893    31.1       15.40
28        -27.400                                 16.47
非球面データ
第27面
K = 0.00000e+000  A 4=-2.62044e-005  A 6= 2.02686e-009  A 8=-4.13481e-011  A10=-7.33645e-012  A12= 7.19025e-014  
各種データ
ズーム比      7.02
広角     中間     望遠
焦点距離      18.60    51.00   130.50  
Fナンバー      3.48     4.84     5.88  
画角          36.29    14.99     5.98  
像高          13.66    13.66    13.66  
レンズ全長   140.52   160.20   190.00  
BF            35.60    56.40    71.56  
d 6            0.90    21.92    42.41  
d13           26.18     6.70     1.50  
d15            2.83     4.19     8.87  
d17            7.09     5.73     1.05  
d26            4.80     2.15     1.50  
ズームレンズ群データ
群  始面    焦点距離  レンズ構成長  前側主点位置  後側主点位置
1    1      88.69        17.53         5.86         -5.78
2    7     -17.44        18.06         1.34        -11.69
3   14      45.02         1.95         0.66         -0.44
4   16     -36.12         0.70         0.02         -0.35
5   18      37.72        20.89       -21.54        -23.56
6   27      31.24         3.99         1.85         -0.54
【０１０８】
（数値実施例２）
単位 mm
面データ
面番号       r        d      nd         νd       有効径
1          ∞       1.50                         50.25
2         57.445    4.55   1.60311    60.6       41.82
3        219.037    0.50                         39.96
4         36.443    1.45   1.83481    42.7       32.01
5         14.175    7.58                         24.39
6       -619.065    1.20   1.77250    49.6       24.02
7         25.691    3.98                         22.57
8         23.423    4.90   1.80518    25.4       22.94
9        200.752    1.10   1.80400    46.6       21.98
10         41.851  (可変)                         21.04
11       -229.585    1.73   1.60311    60.6       13.06
12        -34.650  (可変)                         13.21
13        -32.574    0.70   1.83400    37.2       13.12
14       -276.813  (可変)                         13.34
15         28.173    3.13   1.63854    55.4       13.98
16        -53.605    1.04                         13.99
17(絞り)    ∞       3.30                         13.66
18         22.851    4.24   1.60311    60.6       13.49
19        -21.794    0.75   1.85026    32.3       12.87
20       -162.935    2.71                         12.64
21        -40.305    0.70   1.74950    35.3       11.89
22         15.099    1.99   1.84666    23.8       11.81
23         25.535  (可変)                         11.71
24*       103.888    3.69   1.58313    59.4       14.34
25        -22.955                                 15.38
非球面データ
第24面
K = 0.00000e+000  A 4=-2.73707e-005  A 6=-2.63537e-008  A 8= 1.01748e-009  A10=-1.40793e-011  A12=-1.53554e-022  
各種データ
ズーム比      2.42 
広角     中間     望遠
焦点距離      18.59    24.00    45.00  
Fナンバー      3.59     4.06     5.95  
画角          36.31    29.65    16.89  
像高          13.66    13.66    13.66  
レンズ全長   118.97   117.26   127.42  
BF            35.70    42.77    68.38  
d10           23.35    15.60     2.10  
d12            3.02     3.73     3.73  
d14            1.88     1.16     1.17  
d23            4.27     3.24     1.30  
ズームレンズ群データ
群  始面    焦点距離  レンズ構成長  前側主点位置  後側主点位置
1    1     -24.19        26.76        10.07        -10.77
2   11      67.44         1.73         1.26          0.19
3   13     -44.32         0.70        -0.05         -0.43
4   15      32.81        17.87       -13.46        -18.43
5   24      32.59         3.69         1.93         -0.43
【０１０９】
（数値実施例３）
単位 mm
面データ
面番号       r        d      nd         νd       有効径
1          ∞       1.50                         59.50
2        136.714    1.90   1.84666    23.8       57.10
3         61.723    8.41   1.49700    81.5       54.57
4       -712.008    0.15                         53.99
5         55.292    6.38   1.77250    49.6       51.49
6        218.242  (可変)                         50.63
7        239.607    1.45   1.83481    42.7       30.66
8         14.432    7.38                         22.80
9        -44.308    1.20   1.77250    49.6       22.69
10         71.255    0.15                         22.79
11         30.488    5.77   1.84666    23.8       23.27
12        -48.245    1.10   1.83481    42.7       22.82
13        105.391  (可変)                         22.15
14        114.988    2.94   1.83481    42.7       20.08
15        -38.856  (可変)                         19.84
16        -42.545    0.70   1.80610    40.9       18.21
17        104.476  (可変)                         17.74
18         20.554    3.70   1.53996    59.5       15.88
19        -92.362    1.18                         15.50
20(絞り)    ∞       3.30                         14.91
21         25.900    4.34   1.48749    70.2       14.11
22        -21.604    0.75   1.84666    23.8       13.39
23       -213.343    3.09                         13.20
24        -46.278    0.70   1.76200    40.1       12.48
25         19.900    2.11   1.84666    23.8       12.47
26         52.323  (可変)                         12.42
27*       114.978    3.14   1.58313    59.4       15.12
28        -31.788                                 15.82
非球面データ
第27面
K = 0.00000e+000  A 4=-3.32763e-005  A 6= 7.41615e-008  A 8=-3.14564e-009  A10= 4.14055e-011  A12=-2.46577e-013  
各種データ
ズーム比      7.05 
広角     中間     望遠
焦点距離      18.59    50.00   131.00  
Fナンバー      3.51     4.71     5.88  
画角          36.31    15.28     5.95  
像高          13.66    13.66    13.66  
レンズ全長   138.97   159.44   187.88  
BF            35.70    55.36    72.74  
d 6            1.00    22.00    40.44  
d13            7.85     6.05     1.52  
d15            2.91     4.71     9.25  
d17           23.69     7.04     1.05  
d26            6.47     2.94     1.55  
ズームレンズ群データ
群  始面    焦点距離  レンズ構成長  前側主点位置  後側主点位置
1    1      84.91        18.34         6.47         -5.44
2    7     -15.06        17.05         2.01        -10.00
3   14      35.09         2.94         1.21         -0.41
4   16     -37.43         0.70         0.11         -0.27
5   18      41.45        19.18       -15.02        -21.67
6   27      43.05         3.14         1.56         -0.43
【０１１０】
（数値実施例４）
単位 mm
面データ
面番号       r        d      nd         νd       有効径
1          ∞       1.50                         64.10
2        127.922    2.00   1.84666    23.8       56.80
3         76.612    6.62   1.49700    81.5       55.32
4       1483.135    0.15                         54.89
5         66.859    5.86   1.60738    56.8       52.97
6        325.080  (可変)                         52.19
7         79.300    1.45   1.91082    35.3       34.09
8         15.595    8.10                         25.60
9        -84.291    1.20   1.83481    42.7       25.41
10         42.660    1.31                         25.09
11         30.665    6.60   1.84666    23.8       25.97
12        -61.686    1.10   1.77250    49.6       25.43
13        413.544  (可変)                         24.76
14         55.003    1.64   1.80518    25.4       14.39
15       1371.106  (可変)                         14.24
16        -38.056    0.70   1.90366    31.3       13.97
17       -408.051  (可変)                         14.24
18         23.610    3.66   1.60311    60.6       15.70
19        -91.277    1.17                         15.49
20(絞り)    ∞       2.00                         14.83
21         26.328    5.54   1.60311    60.6       14.37
22        -23.088    0.75   1.80000    29.8       13.27
23        -67.471    0.99                         12.99
24        -65.002    0.70   1.74950    35.3       12.45
25         15.384    1.91   1.77250    49.6       11.97
26         22.891    1.68                         11.65
27        335.732    3.52   1.66680    33.0       11.80
28         -9.868    0.80   1.72047    34.7       11.95
29        630.852    0.15                         12.47
30         27.288    2.71   1.85400    40.4       12.79
31*       110.032                                 12.83
非球面データ
第31面
K = 0.00000e+000  A 4= 2.99992e-005  A 6=-4.29579e-008  A 8= 2.42140e-009  A10=-2.39016e-011  A12=-6.58966e-014  
各種データ
ズーム比      5.59 
広角     中間     望遠
焦点距離      18.60    50.00   103.95  
Fナンバー      3.60     5.09     5.88  
画角          36.29    15.28     7.49  
像高          13.66    13.66    13.66  
レンズ全長   140.57   159.78   190.00  
BF            35.64    56.33    67.17  
d 6            0.90    24.00    48.93  
d13           31.63     7.05     1.50  
d15            3.12     4.63     7.52  
d17            5.45     3.94     1.05  
ズームレンズ群データ
群  始面    焦点距離  レンズ構成長  前側主点位置  後側主点位置
1    1     112.03        16.13         4.60         -6.23
2    7     -21.44        19.76         0.40        -15.24
3   14      71.13         1.64        -0.04         -0.95
4   16     -46.49         0.70        -0.04         -0.41
5   18      26.79        25.59         0.25        -17.82
【０１１１】
（数値実施例５）
単位 mm
面データ
面番号       r        d      nd         νd       有効径
1          ∞       1.50                         64.00
2         95.457    2.00   1.84666    23.8       55.24
3         58.651    7.76   1.49700    81.5       51.80
4       6401.039    0.15                         51.35
5         52.248    6.39   1.60311    60.6       49.00
6        239.934  (可変)                         48.07
7        165.361    1.45   1.91082    35.3       31.91
8         15.531    7.54                         23.98
9        -49.402    1.20   1.77250    49.6       23.78
10         66.413    0.15                         23.65
11         30.087    6.94   1.84666    23.8       24.00
12        -34.011    1.10   1.80400    46.6       23.35
13         87.371  (可変)                         22.18
14        100.574    1.83   1.80000    29.8       14.43
15        -68.699  (可変)                         14.33
16        -34.220    0.70   1.90366    31.3       14.10
17        126.844    1.50   1.84666    23.8       14.46
18       -120.827  (可変)                         14.73
19         22.762    3.93   1.51633    64.1       16.22
20        -47.446    0.83                         15.96
21(絞り)    ∞       3.30                         15.30
22         21.131    5.11   1.60311    60.6       14.32
23        -22.970    0.75   1.84666    23.8       13.16
24         34.807    3.44                         12.56
25        -39.697    0.70   1.80000    29.8       12.16
26         11.148    3.12   1.84666    23.8       12.29
27         89.644  (可変)                         12.35
28*        52.726    3.53   1.68893    31.1       14.48
29        -45.855                                 15.19
非球面データ
第28面
K = 0.00000e+000  A 4=-3.62046e-005  A 6=-6.64907e-009  A 8=-8.20333e-010  A10= 3.23308e-012  A12= 1.82226e-014  
各種データ
ズーム比      6.45 
広角     中間     望遠
焦点距離      18.60    50.00   120.00  
Fナンバー      3.48     4.90     5.88  
画角          36.29    15.28     6.49  
像高          13.66    13.66    13.66  
レンズ全長   140.51   161.85   190.00  
BF            35.60    57.97    73.10  
d 6            0.90    19.59    38.16  
d13           24.74     6.80     1.53  
d15            3.31     4.95     9.74  
d18            7.48     5.84     1.05  
d27            3.56     1.79     1.50  
ズームレンズ群データ
群  始面    焦点距離  レンズ構成長  前側主点位置  後側主点位置
1    1      84.52        17.79         5.05         -6.91
2    7     -15.67        18.38         2.05        -10.62
3   14      51.27         1.83         0.61         -0.42
4   16     -50.94         2.20        -0.41         -1.61
5   19      44.31        21.18       -20.88        -25.10
6   28      36.13         3.53         1.13         -0.99
【０１１２】
【表１】
0005455998.tif 000003
【符号の説明】
【０１１３】
ＳＰ：絞り      ＩＰ：撮像面      Ｌ１〜Ｌ６：第１レンズ群〜第６レンズ群
Ｌｎ、Ｌｐ１、Ｌｐ２：フォーカスで移動するレンズ群と、その物体側、像側に隣接するレンズ群
Ｌｐ、Ｌｎ１、Ｌｎ２：フォーカスで移動するレンズ群と、その物体側、像側に隣接するレンズ群
Focus：フォーカシングで移動するレンズ群の移動方向
【図１】
0005455998.tif 000004
【図２】
0005455998.tif 000005
【図３】
0005455998.tif 000006
【図４】
0005455998.tif 000007
【図５】
0005455998.tif 000008
【図６】
0005455998.tif 000009
【図７】
0005455998.tif 000010
【図８】
0005455998.tif 000011
【図９】
0005455998.tif 000012
【図１０】
0005455998.tif 000013
【図１１】
0005455998.tif 000014